(57)【要約】【課題】  回収者に回収収容体を確実に回収させるための回収収容体、およびそれを用いたシステムを提供する。【解決手段】  回収袋１にセキュリティトークン２を取り付け、回収者が回収袋１を回収する際に、セキュリティトークン２に表示されるワンタイムパスワードとトークンＩＤを本部スタッフに連絡する。本部スタッフは、本部端末３により、認証サーバ４にアクセスし、トークンＩＤに対応したワンタイムパスワードであるか否かの認証処理をさせ、その結果を受けて、回収収容体が確実に回収されるか把握するとともに、回収者に注意を出す。【選択図】図１
2014026476.tif 000002
【特許請求の範囲】
【請求項１】
回収者により回収される収容体に、所定時間ごとにワンタイムパスワードを表示するセキュリティトークンが取り付けられていることを特徴とする回収収容体。
【請求項２】
請求項１に記載の回収収容体と、
セキュリティトークンと同じワンタイムパスワードを所定時間ごとに同期して発行し、ワンタイムパスワードの入力を受け付けて認証処理し、認証結果を出力する認証手段を備えることを特徴とする認証システム。
【請求項３】
前記セキュリティトークンに表示されるワンタイムパスワードは、回収者により視認により確認されて、回収管理者に連絡され、
前記認証手段は、回収管理者によるワンタイムパスワードの入力を受け付けて、認証処理を行うことを特徴とする請求項２に記載の認証システム。
【請求項４】
前記認証手段は、セキュリティトークンのトークンＩＤと、ワンタイムパスワードの入力を受け付けて認証処理を行うことを請求項２又は３に記載の特徴とするシステム。
【発明の詳細な説明】
【技術分野】
【０００１】
本発明は、回収収容体およびそれを用いた認証システムに関する。
【背景技術】
【０００２】
従来、認証用にワンタイムパスワードを用いたシステムが種々提案されている。例えば、配達物を配達する配達員の身分証明のために、配達員にセキュリティトークンを携帯させ、セキュリティトークンに表示されるワンタイムパスワードを用いるシステム（特許文献１、実施例３）、自動車を宅配ボックスとして利用するために、自動車の開錠にワンタイムパスワードを用いるシステム（特許文献２）、コインロッカーや集合住宅の共用ロッカーなどに開錠のために、ワンタイムパスワードを用いるシステム（特許文献３）、自宅以外の任意の場所で宅配荷物を引き受ける際に、ワンタイムパスワードを用いるシステム（特許文献４）などが提案されている。これらの提案しているシステムにおいては、個人を認証するために、ワンタイムパスワードが用いられている。
【０００３】
近年では、電気料金、水道料金などの公共料金の支払いをコンビニエンスストアでも受け付けるようになっている。コンビニエンスストアの店員は、料金の預り後に、払込票を複数に切り分けて、料金を支払ったお客様にお客様控えを渡し、本部控え、店舗控えなどを控え、本部控えを本部へ送っている。本部控えを本部へ送るにあたって、店員は、定期的にまとまった複数の本部控えを回収袋に詰めて、トラックで回収してくるドライバーに渡し、本部への送付を依頼している。ドライバーは、本部控えの入った回収袋をトラックに詰め込むとともに、次回回収するために空の回収袋を店員に渡すようにしている例もある。
【先行技術文献】
【特許文献】
【０００４】
【特許文献１】特開２０１１−７７８３５号公報
【特許文献２】特開２００４−３３９７３７号公報
【特許文献３】特許第３６４３３５４号公報
【特許文献４】特許第３８３２３２４号公報
【発明の概要】
【発明が解決しようとする課題】
【０００５】
ところが、回収袋（回収収容体）の管理の不備により、本部控えを入れた回収袋を紛失したり、回収袋が確実に回収されないというトラブルが生じている。そのようなトラブルは、ドライバー（回収者）の回収違い、未回収問題を防止し、ドライバーに確実に回収袋を回収させることにより解消される場合も少なくない。また、同様のトラブルは、コンビニエンスストアでの公共料金の支払いにおける払込票の部分回収以外にも、定期的に確実な回収が要請される場面においても生じうる。
【０００６】
しかしながら、特許文献１〜４のように、個人（ドライバー）を認証するためにワンタイムパスワードを用いたとしても、同じコンビニエンスストアに回収袋を回収するドライバーがいつも同じ者であるとは限らず、不確実であり、個人（ドライバー）がセキュリティトークンを携帯しても、いつでもワンタイムパスワードを確認できるため、回収が確実に行われたかは判断できない。
【０００７】
そこで本発明は、回収者に回収収容体を確実に回収させるための回収収容体、およびそれを用いたシステムを提供することを目的とする。
【課題を解決するための手段】
【０００８】
本発明に係る回収収容体は、
回収者により回収される収容体に、所定時間ごとにワンタイムパスワードを表示するセキュリティトークンが取り付けられていることを特徴とする。
【０００９】
これによれば、回収者が回収収容体を回収する際に、セキュリティトークンに表示されているワンタイムパスワードを本部へ連絡させ、本部側でワンタイムパスワードを認証確認することで、回収者による確実な回収収容体の回収を確認することができる。
【００１０】
また、本発明に係る認証システムは、
上記回収収容体と、
セキュリティトークンと同じワンタイムパスワードを所定時間ごとに同期して発行し、ワンタイムパスワードの入力を受け付けて認証処理し、認証結果を出力する認証手段を備えることを特徴とする。
【００１１】
この構成により、セキュリティトークンに表示されるワンタイムパスワードを認証手段に認証処理させることで、回収する対象とする回収収容体を確認することができる。なお、認証手段は、スタンドアローンタイムのコンピュータに構成させてもよく、ネットワークに接続された端末と認証サーバによって構成させてもよい。
【００１２】
上記認証システムにおいては、
前記セキュリティトークンに表示されるワンタイムパスワードは、回収者により視認により確認されて、回収管理者に連絡され、
前記認証手段は、回収管理者によるワンタイムパスワードの入力を受け付けて、認証処理を行うよう構成するとよい。
【００１３】
この構成により、回収管理者は、回収者による確実な回収収容体の回収を客観的に把握することができる。
【００１４】
また、上記認証システムにおいて、
前記認証手段は、セキュリティトークンのトークンＩＤと、ワンタイムパスワードの入力を受け付けて認証処理を行うよう構成するとよい。
【００１５】
これにより、個別のセキュリティトークンが取り付けられた複数の回収収容体を用いて、回収確認を行う場合であっても、トークンＩＤにより回収収容体を識別して、回収を確認することができる。
【００１６】
本発明によれば、回収者による回収収容体の確実な回収を把握することができる。
【図面の簡単な説明】
【００１７】
【図１】本実施形態における認証システムのシステム構成図を示す図である。
【図２】本認証システムの処理フローを示す図である。
【発明を実施するための形態】
【００１８】
以下、図面を参照しながら、本発明を実施するのに好適な実施形態について説明する。なお、本実施形態では、コンビニエンスストアで受け付ける公共料金の支払いに伴う本部控えを本部へ送るために回収することを例とするが、本発明はこれに限られない。
【００１９】
［認証システムの構成］
本認証システム１０においては、複数の回収袋（回収収容体）１が用意されており、各回収袋には、トークンＩＤが互いに異なるセキュリティトークン２が取り付けられている。各セキュリティトークン２は、所定時間ごとに固有のワンタイムパスワードを生成し、ディスプレイに表示する。また、各セキュリティトークン２には、トークンＩＤが表記されている。セキュリティトークン２の回収袋１への取り付け方としては、回収袋１の表面に、セキュリティトークン２のディスプレイを表側に向けて覆うように、透明シートが貼り付けられている。なお、取り付け方はこれに限られない。
【００２０】
また、コンビニエンスストアのどの店舗にどの回収袋１を用いるのかについては予め定められている。そのため、回収袋１に取り付けられているセキュリティトークン２のトークンＩＤが特定されれば、使用される店舗を特定することができる。
【００２１】
また、本認証システム１０は、回収管理者である本部で用いられる本部端末３と、データセンターの認証サーバ４とを備える。本部端末３と認証サーバ４とはネットワーク５を介して接続されている。
【００２２】
認証サーバ４は、各セキュリティトークン２と同じワンタイムパスワードを所定時間ごとに同期して発行し、本部端末３から送信されたトークンＩＤとワンタイムパスワードを受信すると、その時点におけるトークンＩＤに対応するワンタイムパスワードとして正しいか否か認証判断する。そして、認証サーバ４は認証処理した結果を、本部端末３へ送信する。
【００２３】
なお、認証サーバ４は、セキュリティトークン２のトークンＩＤと、セキュリティトークン２が使用される店舗名との対応関係を記憶しており、トークンＩＤを受け付けた際、対応する店舗名も認証結果に含める。ただし、この機能は、本部端末３に設けてもよい。
【００２４】
本部端末３は、本部スタッフが、ドライバー（回収者）から連絡を受けることで入力したトークンＩＤとワンタイムパスワードとを受け付け、認証サーバ４へ認証処理するよう送信する。そして、本部端末３は、認証サーバ４から受信した認証結果をディスプレイに表示する。
【００２５】
〔認証システムにおける処理〕
以下、認証システム１０の処理について、図２を参照しつつ、運用も含めて説明する。
【００２６】
コンビニエンスストアの各店舗では、公共料金等の支払いを受け付けており、店員は、料金の預り後に、払込票を複数に切り分けて、料金を支払ったお客様にお客様控えを渡し、本部控え、店舗控えなどを控える。店員は、本部控えを本部へ定期的にまとめて送るため、公共料金等の支払い受け付けの都度、本部控えを、次回回収用の回収袋１に詰める。回収袋１に取り付けられたセキュリティトークン２は、所定時間ごとに、ワンタイムパスワードを生成し、ディスプレイに表示している（ステップＳ１０１）。
【００２７】
回収袋１を回収するために、店舗に到着したトラックのドライバーは、視認できる回収する回収袋１に取り付けられたセキュリティトークン２のトークンＩＤと、その時にディスプレイに表示されているワンタイムパスワードと、担当店舗名とを、携帯電話ないし専用トランシーバーを用いて、店舗から本部に在中する本部スタッフに連絡する。
【００２８】
本部スタッフが、本部端末３に、ドライバーから連絡されたトークンＩＤとワンタイムパスワードとを入力すると、本部端末３はその入力を受け付け（ステップＳ２０１）、トークンＩＤとワンタイムパスワードとを、ネットワーク５を経由して、認証サーバ４へ送信する（ステップＳ２０２）。
【００２９】
認証サーバ４は、ネットワーク５を介して、本部端末３から、トークンＩＤとワンタイムパスワードとを受信する（ステップＳ３０１）と、受信したワンタイムパスワードが、その時点におけるトークンＩＤに対応するワンタイムパスワードと一致するか否か認証判処理を行うとともに、トークンＩＤに対応する店舗名を記憶している対応関係から抽出する（ステップＳ３０２）。そして、認証サーバ４は、認証結果を店舗名とともに本部端末３へ、ネットワーク５を介して送信する（ステップＳ３０３）。
【００３０】
本部端末３は、認証サーバ４から、認証結果と店舗名とを受信すると、ディスプレイに表示する（ステップＳ２０３）。本部スタッフは、本部端末３に表示される店舗名と、ドライバーからの連絡された店舗名が一致するか否かを判断し、また、本部スタッフは、認証結果がワンタイムパスワードの一致性を示しているか否かを判断し、店舗名やワンタイムパスワードが一致していない場合は、ドライバーへ注意するよう連絡し、店舗名やワンタイムパスワードが一致している場合は、その旨、伝える。
【００３１】
これにより、本部スタッフは、ドライバーによる確実な回収袋１の回収を客観的に確認することができる。ドライバーは、用意してきた空の回収袋１を、次回用の回収のために、店員に手渡し、払込票の本部控えが入った回収袋１をトラックに回収し、本部へ輸送する。
【００３２】
〔変形例〕
上記実施形態においては、認証サーバ４へのアクセスや認証要求は、本部スタッフが本部端末３を用いて行っているが、この業務を委託された支部の支部スタッフが、支部端末を用いて行うようにしてもよい。
【００３３】
また、上記実施形態においては、認証処理は、認証サーバ４により行われているが、本部端末３に行わせてもよい。すなわち、本部端末３が、各セキュリティトークン２と同期して同じワンタイムパスワードを生成するように構成し、本部端末３が認証処理を行うように構成してもよい。
【００３４】
また、上記実施形態は、コンビニエンスストアの店舗での公共料金の支払いに伴う本部控えの回収を例としたが、これに限られず、定期的に荷物等を回収する場合においても、本発明を適用することができる。
【符号の説明】
【００３５】
１…回収袋（回収収容体）
２…セキュリティトークン
３…本部端末
４…認証サーバ
５…ネットワーク
１０…認証システム
【図１】
2014026476.tif 000003
【図２】
2014026476.tif 000004